(57)【要約】【課題】レンズユニットのカメラケースへの取付けを容易にし、部品点数の削減が図れるカメラを提供する。【解決手段】カメラケース前面の撮影レンズが臨む開口３の周縁面を覆うように装飾用レンズリング４が取り付けられたカメラ１において、カメラケース前面の開口３の周縁部に位置決め孔７を形成し、撮影レンズを含むレンズユニット５の前面に位置決めピン６を立設し、これらの位置決め孔７と位置決めピン６とを嵌合させることによりレンズユニット５をカメラケース２に位置決めするとともに、装飾用レンズリング４によって位置決め孔７や位置決めピン６を覆い隠すようにしている。【選択図】  図２
2006251367.tif 000002
【特許請求の範囲】
【請求項１】
カメラケース前面の撮影レンズが臨む開口の周縁面を覆うように装飾用レンズリングが取り付けられたカメラにおいて、
前記カメラケース前面の開口の周縁部に第１の位置決め手段を形成し、前記撮影レンズを含むレンズユニットの前面に第２の位置決め手段を形成し、前記第１の位置決め手段と第２の位置決め手段とを嵌合させることにより前記レンズユニットを前記カメラケースに位置決めするとともに、前記装飾用レンズリングによって前記第１の位置決め手段を覆うようにしたことを特徴とするカメラ。
【請求項２】
前記カメラケースの第１の位置決め手段は位置決め孔であり、前記レンズユニットの第２の位置決め手段は位置決めピンであることを特徴とする請求項１に記載のカメラ。
【請求項３】
前記装飾用レンズリングの背面に環状凹部、又は前記位置決めピンの径に対応した径のピン挿通孔を形成し、前記凹部又はピン挿通孔に前記位置決めピンの先端部を収容するようにしたことを特徴とする請求項２に記載のカメラ。
【請求項４】
前記カメラケースの第１の位置決め手段は、前記開口が円形以外の形状に形成されて構成され、前記レンズユニットの第２の位置決め手段は、前記開口に嵌合する凸部であることを特徴とする請求項１に記載のカメラ。
【請求項５】
前記カメラケースの開口は、円形に一部切欠き又は舌片が形成されて構成され、もしくは長孔又は約矩形に形成されて構成されていることを特徴とする請求項４に記載のカメラ。
【請求項６】
前記カメラケースの第１の位置決め手段は、前記開口から折り曲げられて突出する切起し片であり、前記カメラケースの第２の位置決め手段は、前記切起し片と嵌合する嵌合孔であることを特徴とする請求項１に記載のカメラ。
【発明の詳細な説明】
【技術分野】
【０００１】
本発明はカメラに係り、特にカメラケースの前面に装飾用レンズリングを備えたカメラのレンズユニットの位置決め構造に関する。
【背景技術】
【０００２】
一般に、カメラで撮影される画像と光学ファインダのファインダ像との角度ずれ等が生じないように、撮影レンズはカメラケースに対して精度よく位置決めする必要がある。
【０００３】
そこで、従来のカメラでは、撮影レンズを含むレンズユニットを別の取付け部材（インナー部品や金属フレームなど）に位置決めして取り付け、その取付け部材を更にカメラケースにねじ等によって取付けていた。
【０００４】
また、特許文献１に記載のレンズ付きフイルムユニットは、撮影用レンズ（レンズのみ）をカメラを解体することなく外部から取り付け、取り外しできるように前面からレンズ押えによってレンズを挟み込み、更にこのレンズ押えを前カバーに装着される化粧カバーによって圧着するように押さえている。
【特許文献１】特開平５−２８９２４６号公報
【発明の開示】
【発明が解決しようとする課題】
【０００５】
しかしながら、レンズユニットをインナー部品等の取り付け部材を介してカメラケースに取り付ける場合、カメラケースに取り付ける作業が煩雑になるばかりでなく、取付け部材を必要とし、それだけ部品点数も多くなるという問題がある。
【０００６】
また、特許文献１に記載の発明は、カメラを解体することなく外部から容易に交換可能な構造を主眼としており、化粧カバーはレンズユニットの一部品として機能している。
【０００７】
本発明はこのような事情に鑑みてなされたもので、レンズユニットのカメラケースへの取り付けを容易にし、かつ位置決め精度の向上及び部品点数の削減を図ることができるカメラを提供することを目的とする。
【課題を解決するための手段】
【０００８】
前記目的を達成するために請求項１に係る発明は、カメラケース前面の撮影レンズが臨む開口の周縁面を覆うように装飾用レンズリングが取り付けられたカメラにおいて、前記カメラケース前面の開口の周縁部に第１の位置決め手段を形成し、前記撮影レンズを含むレンズユニットの前面に第２の位置決め手段を形成し、前記第１の位置決め手段と第２の位置決め手段とを嵌合させることにより前記レンズユニットを前記カメラケースに位置決めするとともに、前記装飾用レンズリングによって前記第１の位置決め手段を覆うようにしたことを特徴としている。
【０００９】
近年、カメラのデザインも多様化し、その中でもカメラケース前面の撮影レンズが臨む開口の周縁面を装飾する装飾用レンズリングが大きくなってきている。請求項１に係る発明は、カメラケース側の第１の位置決め手段とレンズユニット側の第２の位置決め手段とを嵌合させることによりレンズユニットをカメラケースに直接位置決めし、更に装飾用レンズリングによって第１の位置決め手段を覆い隠すことで、外観への影響を与えないようにしている。
【００１０】
請求項２に示すように請求項１に記載のカメラにおいて、前記カメラケースの第１の位置決め手段は位置決め孔であり、前記レンズユニットの第２の位置決め手段は位置決めピンであることを特徴としている。
【００１１】
請求項３に示すように請求項２に記載のカメラにおいて、前記装飾用レンズリングの背面に環状凹部、又は前記位置決めピンの径に対応した径のピン挿通孔を形成し、前記凹部又はピン挿通孔に前記位置決めピンの先端部を収容するようにしたことを特徴としている。
【００１２】
請求項４に示すように請求項１に記載のカメラにおいて、前記カメラケースの第１の位置決め手段は、前記開口が円形以外の形状に形成されて構成され、前記レンズユニットの第２の位置決め手段は、前記開口に嵌合する凸部であることを特徴としている。即ち、カメラケースの開口の形状（非円形）及び板厚を利用して、この開口にレンズユニットの前面側の凸部を嵌合させるようにしている。
【００１３】
請求項５に示すように請求項４に記載のカメラにおいて、前記カメラケースの開口は、円形に一部切欠き又は舌片が形成されて構成され、もしくは長孔又は約矩形に形成されて構成されていることを特徴としている。
【００１４】
請求項６に示すように請求項１に記載のカメラにおいて、前記カメラケースの第１の位置決め手段は、前記開口から折り曲げられて突出する切起し片であり、前記カメラケースの第２の位置決め手段は、前記切起し片と嵌合する嵌合孔であることを特徴としている。
【発明の効果】
【００１５】
本発明によれば、カメラケースとレンズユニットとにそれそれぞれ位置決め手段を形成してレンズユニットを直接カメラケースに位置決めするようにしたたため、レンズユニットのカメラケースへの取り付けが容易で、かつ位置決め精度の向上及び部品点数の削減を図ることができ、更に前記位置決め部分を装飾用レンズリングによって覆い隠すようにしたため、外観に影響を与えることがない。
【発明を実施するための最良の形態】
【００１６】
以下添付図面に従って本発明に係るカメラの好ましい実施の形態について詳説する。
【００１７】
〔第１の実施の形態〕
図１は本発明に係るカメラの第１の実施の形態を示した分解斜視図であり、図２は図１の各部品を組付けた状態を示した縦断面図である。
【００１８】
同図に示すように、カメラ１は、カメラケース２の前面の撮影レンズが臨む開口３の周縁面を覆う装飾用レンズリング４を備え、開口３の背面周縁に撮影レンズ５ａを含むレンズユニット５が設置されている。
【００１９】
レンズユニット５ａは、図示しない絞り機構やレンズ駆動機構等を有し、また、カメラ１がデジタルカメラの場合には、ＣＣＤ等の撮像素子も一体化されている。
【００２０】
上記レンズユニット５は、以下の実施の形態のようにしてカメラケース２に位置決めされている。
【００２１】
このカメラ１では、レンズユニット５の前面に位置決めピン６、６が立設され、カメラケース２に位置決め孔７、７が形成されている。また、装飾用レンズリング４は、その背面に環状の凹部８が形成されている。
【００２２】
そして、このカメラ１では、図２に示したように、カメラケース２の位置決め孔７、７にレンズユニット５の位置決めピン６、６を嵌合させるとともに、位置決め孔７、７を覆い隠すように装飾用レンズリング４をカメラケース２の前面に取り付ける。
【００２３】
このようにして、組み付けられたレンズユニット５は、位置決めピン６、６と位置決め孔７、７とによってカメラケース２に位置決めされ、また、装飾用レンズリング４によって位置決めピン６、６の先端と位置決め孔７、７が隠される。
【００２４】
尚、上記第１の実施の形態では、図２に示したように、位置決めピン６、６の先端がカメラケース２の前面から前方に突出し、その先端が装飾用レンズリング４の環状の凹部８に収容されているが、装飾用レンズリング４には、環状の凹部８に限らず、位置決めピン６、６の先端を収容する孔を形成するようにしてもよい。
【００２５】
また、図３に示した変形例のように、位置決めピン６、６の長さをカメラケース２の板厚より短く形成し、カメラケース２の位置決め孔７、７を塞ぐように装飾用レンズリング４を取り付けてもよい。この場合には、レンズリング４の背面に凹部８等を形成する必要はない。
【００２６】
前記装飾用レンズリング４のカメラケース２への固定は、装飾用レンズリング４の裏面への両面テープ、接着剤塗布による固定、ネジ締め固定、圧入固定、装飾用レンズリング４（金属削品等）の一部をカシメ固定、装飾用レンズリング側に爪を形成したスナップフィット固定等の固定方法を適用することができる。また、レンズユニット５のカメラケース２への固定も両面テープ、接着剤塗布による固定方法などを適用することができる。
【００２７】
尚、レンズユニット５のカメラケース２への取り付けを容易にするとともに、レンズユニット５の位置決めが可能なように、カメラケース２の位置決め孔７、７は、一方を円形とし、他方を長孔とすることが好ましい。また、位置決めピン、及び位置決め孔の個数は、この実施の形態に限定されない。
【００２８】
〔第２の実施の形態〕
図４は本発明に係るカメラの第２の実施の形態を示した分解斜視図であり、図５は図４の各部品を組付けた状態を示した縦断面図である。尚、第１の実施の形態と共通する部分には、同一の符号を付し、その説明は省略する。
【００２９】
この第２の実施の形態では、カメラ１０では、カメラケース２の円形の開口３の周縁に切欠き１２、１２が形成され、開口３が非円形となるように構成されている。
【００３０】
一方、前記レンズユニット５の前面には、開口３に挿嵌される薄い円筒形の凸部１４が形成され、該凸部１４の外周にカメラケース２の切欠き１２、１２に対応する舌片１６、１６が延出されている。
【００３１】
そして、このカメラ１０では、図５に示したように、カメラケース２の切欠き１２、１２を有する開口３に、レンズユニット５の舌片１６、１６を有する凸部１４を嵌合させるとともに、レンズユニット５の前面をカメラケース２の背面周縁に接着し、更に切欠き１２、１２を覆うように装飾用レンズリング４をカメラケース２の前面に接着する。
【００３２】
このようにして、組み付けられたレンズユニット５は、カメラケース２の切欠きを有する開口３と舌片を有する凸部１４とによって、カメラケース２に位置決めされ、装飾用レンズリング４によって、カメラケース２の切欠き１２が隠される。
【００３３】
尚、上記第２の実施の形態では、カメラケース２の開口３に切欠き１２を形成し、レンズユニット５の凸部１４に舌片１６を形成したが、これとは逆に、カメラケース２の開口３に舌片を形成し、レンズユニット５の凸部１４に切欠きを形成してもよい。また、切欠き１２および舌片１４をそれぞれ２つ形成しているが、それらは、それぞれ１つでもよく、３つ以上であってもよい。更に、切欠き１２及び舌片１４の形状も矩形に限定されない。
【００３４】
〔第３の実施の形態〕
図６は本発明に係るデジタルカメラの第３の実施の形態を示した要部分解斜視図であり、図７は図６の各部品を組付けた状態を示した縦断面図である。
【００３５】
このカメラ２０では、カメラケース２の開口３の周縁に該開口３から後方に折り曲げられて突出する切起し片２２、２２が形成され、一方、レンズユニット５の前面には、カメラケース２の切起し片２２、２２と嵌合する形状の嵌合孔２４、２４が形成されている。
【００３６】
そして、このカメラ２０では、カメラケース２の切起し片２２、２２をレンズユニット５の嵌合孔２４、２４に嵌合させるとともに、レンズユニット５の前面をカメラケース２の前壁背面に接着し、更に切起し片２２、２２等を覆うように装飾用レンズリング４をカメラケース２の前面に接着する。
【００３７】
このようにして組み付けられたレンズユニット５は、切起し片２２、２２と嵌合孔２４、２４とによって、カメラケース２に位置決めされる。そして、装飾用レンズリング４によって切起し片２２、２２等が隠される。
【００３８】
尚、上記第３の実施の形態では、切起し片２２と嵌合孔２４とをそれぞれ２つ形成しているが、それらは、それぞれ３つ以上であってもよい。
【００３９】
〔第４の実施の形態〕
図８は本発明に係るデジタルカメラの第４実施の形態を示した要部分解斜視図であり、図９は図８の各部品を組付けた状態を示した断面図である。
【００４０】
このカメラ３０では、カメラケース２の開口３２を横長の長孔状に形成するとともに、レンズユニット５の前面に、開口３２に嵌合する形状の凸部３４を形成している。また、装飾用レンズリング４は、開口３２と凸部３４との嵌合部を覆うことが可能な形状に形成されている。
【００４１】
そして、このカメラ３０では、レンズユニット５の凸部３４をカメラケース２の開口３２に嵌合させるとともに、レンズユニット５の前面をカメラケース２の前壁背面に接着し、更に開口３２と凸部３４との嵌合部を覆うように装飾用レンズリング４をカメラケース２の前面に接着する。
【００４２】
このようにして組み付けられたレンズユニット５は、開口３２と凸部３４とによって位置決めされる。そして、装飾用レンズリングによって開口３２と凸部３４との嵌合部が隠される。
【００４３】
尚、図９に示した第４の実施の形態では、レンズリング４の背面に凹部３６を形成し、該凹部３６にレンズユニット５の凸部３２の先端部を収容している。このようにすれば、装飾用レンズリング４の位置決めを行なうことができるが、この凹部３６は無くてもよい。また、カメラケース２の開口３２及びレンズユニット５の凸部３４の平面形状は、長孔に限らず、４角形や６角形等の多角形でもよい。
【図面の簡単な説明】
【００４４】
【図１】図１は本発明に係るカメラの第１の実施の形態を示した分解斜視図である。
【図２】図２は図１の各部品を組付けた状態を示した縦断面図である。
【図３】図３は本発明に係るカメラの第１の実施の形態の変形例を示す要部断面図である。
【図４】図４は本発明に係るカメラの第２の実施の形態を示した分解斜視図である。
【図５】図５は図４の各部品を組付けた状態を示した縦断面図である。
【図６】図１は本発明に係るカメラの第３の実施の形態を示した分解斜視図である。
【図７】図７は図６の各部品を組付けた状態を示した縦断面図である。
【図８】図８は本発明に係るカメラの第４の実施の形態を示した分解斜視図である。
【図９】図９は図８の各部品を組付けた状態を示した縦断面図である。
【符号の説明】
【００４５】
１、１０、２０、３０…カメラ、２…カメラケース、３、３２…開口、４…装飾用レンズリング、５…レンズユニット、６…位置決めピン、７……位置決め孔、１２…切欠き、１４、３４…凸部、１６…舌片、２２…切起し片、２４…嵌合孔
【図１】
2006251367.tif 000003
【図２】
2006251367.tif 000004
【図３】
2006251367.tif 000005
【図４】
2006251367.tif 000006
【図５】
2006251367.tif 000007
【図６】
2006251367.tif 000008
【図７】
2006251367.tif 000009
【図８】
2006251367.tif 000010
【図９】
2006251367.tif 000011